(57)【要約】      （修正有）【課題】押し出された内容物に過大な押し付け力が付加された場合であってもその力を吸収、軽減する繰出し容器の提案。【解決手段】スクリューロッド１を有するベース部材２と、スクリューロッド１に係合され、かつ内容物Ｍを保持する中皿３と、中皿３をスクリューロッド１とともに取り囲むケース本体４とを備え、スクリューロッド１をベース部材２を介して回転させることにより中皿３をスクリューロッド１の軸芯Ｌに沿いスライドさせて内容物Ｍをケース本体４の開放端４ａより押し出す繰出し容器において、ケース本体４は、ベース部材２の胴体部分２ａにスライド可能に連係する底壁部５を有し、スクリューロッド１の基部１ａと底壁部５との相互間に、開放端４ａより押し出された内容物Ｍに過大な押し付け力が付加された場合にその収縮によりスクリューロッド１をベース部材２および中皿３とともに底壁部５に向けて変位させる緩衝部材７を配設する。【選択図】図１
2018088971.tif 000002
【特許請求の範囲】
【請求項１】
起立姿勢に保持されたスクリューロッドを有するベース部材と、該スクリューロッドに係合され、かつ、内容物を保持する中皿と、該中皿をスクリューロッドとともに取り囲むケース本体とを備え、該スクリューロッドを該ベース部材を介して回転させることにより該中皿を該スクリューロッドの軸芯に沿いスライドさせて該内容物を該ケース本体の開放端より押し出す繰出し容器であって、
該ケース本体は、該ベース部材の胴体部分にスライド可能に連係する底壁部を有し、
該スクリューロッドの基部と該底壁部との相互間に、該開放端より押し出された内容物に過大な押し付け力が付加された場合にその収縮により該スクリューロッドを該ベース部材および該中皿とともに該底壁部に向けて変位させる緩衝部材を配設してなる、ことを特徴とする繰出し容器。
【請求項２】
前記緩衝部材は、前記スクリューロッドおよび前記ベース部材とは個別に設けられた合成樹脂製のばね、ゴムまたはパッキンであることを特徴とする請求項１に記載した繰出し容器。
【請求項３】
前記ベース部材は、前記底壁部の下側に位置し該ベース部材をスクリューロッドとともに回転させる操作体を有することを特徴とする請求項１または２に記載した繰出し容器。
【請求項４】
前記底壁部は、その下面に、前記内容物に押し付け力が付加される前の定常時において、前記ベース部材の基盤に線状に接触する環状突起または点状に接触する複数の突起を有することを特徴とする請求項１〜３のいずれか１項に記載した繰出し容器。
【発明の詳細な説明】
【技術分野】
【０００１】
本発明は、中皿をケース本体内でスライド（昇降移動）させることによって充填空間内の内容物（棒状部材）をケース本体の開放端より適宜押し出すことができる繰出し容器に関するものである。
【背景技術】
【０００２】
口紅やリップクリームあるいはスティックタイプの糊等を内容物として充填する容器としては、ケース本体の下端部分に取り付けられた操作体（ダイヤル等）を回転させて内容物をケース本体の開放端から適宜押し出す繰出し容器が多用されている。
【０００３】
ところで、この種の繰出し容器は、ケース本体を把持して内容物を塗布する際に、内容物が塗布面に対して過大な力で押し付けられる場合もあり、これにより内容物が折損したり、内容物の均一な塗布が妨げられる不具合を有している。
【０００４】
この点に関する先行文献としては、内容物（棒状化粧料）を収嵌保持する保持部と繰出し機構に螺合する螺合部との間、若しくは螺合片と螺合部の間に内容物にかかる衝撃、応力等を緩衝させるクッション部材を配置した、例えば特許文献１に開示された繰出し容器が知られている。
【先行技術文献】
【特許文献】
【０００５】
【特許文献１】実開平５−９５４１３号公報
【発明の開示】
【発明が解決しようとする課題】
【０００６】
しかしながら、上記文献に開示された従来の繰出し容器は、クッション部材のみの弾性変形により衝撃、応力等を緩衝させるものであり、その効果は小さく、内容物の折損を回避するには十分なものとはいえないのが現状であった。
【０００７】
本発明の課題は、内容物を塗布する際に付加される過大な力をより効果的に吸収、軽減できる繰出し容器を提案するところにある。
【課題を解決するための手段】
【０００８】
本発明は、起立姿勢に保持されたスクリューロッドを有するベース部材と、該スクリューロッドに係合され、かつ、内容物を保持する中皿と、該中皿をスクリューロッドとともに取り囲むケース本体とを備え、該スクリューロッドを該ベース部材を介して回転させることにより該中皿を該スクリューロッドの軸芯に沿いスライドさせて該内容物を該ケース本体の開放端より押し出す繰出し容器であって、該ケース本体は、該ベース部材の胴体部分にスライド可能に連係する底壁部を有し、該スクリューロッドの基部と該底壁部との相互間に、該開放端より押し出された内容物に過大な押し付け力が付加された場合にその収縮により該スクリューロッドを該ベース部材および該中皿とともに該底壁部に向けて変位させる緩衝部材を配設してなる、ことを特徴とする繰出し容器である。
【０００９】
上記の構成からなる繰出し容器においては、前記緩衝部材が、スクリューロッドおよびベース部材とは個別に設けられた合成樹脂製のばね、ゴムまたはパッキンであること、また、前記ベース部材は、前記底壁部の下側に位置し該ベース部材をスクリューロッドとともに回転させる操作体を有することが望ましい。
【００１０】
また、本発明の繰出し容器においては、前記底壁部は、その下面に、前記内容物に押し付け力が付加される前の状態（定常時）において、前記ベース部材の基盤に線状に接触する環状突起または点状に接触する複数の突起を設けるのが望ましい。
【発明の効果】
【００１１】
本発明の繰出し容器によれば、内容物が塗布面に対して強く押し付けられた場合に、緩衝部材が収縮してスクリューロッドがベース部材および中皿とともに該底壁部に向け変位する。このため、内容物に付加された押し付け力は該緩衝部材により吸収、軽減されることとなり、内容物が折れるような不具合は回避される。また内容物の均一な塗布も可能となる。
【００１２】
また、本発明の繰出し容器によれば、緩衝部材をスクリューロッドやベース部材とは別個に設けることにより、各構成部材の適切な選定および品質管理を容易に行うことができる。
【００１３】
さらに、本発明の繰出し容器によれば、底壁部とベース部材の基盤とは線状また点状の突起により接触しているため、その相互間の接触面積を小さくすることができ、ベース部材のスムーズな回転が可能となる。
【図面の簡単な説明】
【００１４】
【図１】本発明にしたがう繰出し容器の実施の形態を模式的に示した図（中心線を境に右側半分を断面で表示）である。
【図２】（ａ）は、図１のＡ部の拡大図（押し付け力が付加されていない定常時の状態）であり、（ｂ）は、図１のＡ部の拡大図につき、緩衝部材が変形（収縮）している状態（内容物に押し付け力が付加されている状態）を示した図である。
【図３】内容物に押し付け力が付加された状態を繰出し容器の全体について示した図である。
【図４】本発明にしたがう繰出し容器の他の実施の形態を模式的に示した図であり、（ａ）は、図１のＡ部に相当する部位の拡大図（定常時の状態）であり、（ｂ）は、図１のＡ部に相当する拡大図につき、緩衝部材が変形している状態を示した図である。
【発明を実施するための最良の形態】
【００１５】
以下、図面を参照して本発明をより具体的に説明する。
図１は、本発明にしたがう繰出し容器の実施の形態を模式的に示した図である（中心線を境にして右側半分を断面で表示）。また、図２（ａ）は、図１のＡ部を拡大して示した図であり、図２（ｂ）は、ケース本体より押し出された（繰出された）内容物に押し付け力が付加された状態の要部（Ａ部）について示した図であり、図３は、ケース本体より押し出された内容物に押し付け力が付加された状態の繰出し容器の全体について示した図である。
【００１６】
本発明にしたがう繰出し容器は、その構成部材の全てを合成樹脂で構成することを基本とするが、その全部もしくは一部分を金属製部材で構成してもよい。
【００１７】
図における符号１は、スクリューロッド、２は、スクリューロッド１の基部１ａの下面に上端部が離脱不能に連結して該スクリューロッド１を起立姿勢に保持するベース部材である。スクリューロッド１とベース部材２とは、それらが相互に回転不能に連結されており、ベース部材２が回転するとその回転に合わせてスクリューロッド１が回転する。
【００１８】
ベース部材２は、円柱状の胴体部分２ａと、この胴体部分２ａの下端に一体連結し該胴体部分２ａよりも大きな径を有する円形の基盤２ｂからなっている。
【００１９】
また、３は、内容物Ｍを上面部において保持する中皿である（内容物は、口紅等の棒状部材が適用される）。中皿３は、スクリューロッド１のねじ部に係合するねじ部が形成された短尺の内筒３ａと、後述するケース本体の内壁に摺動可能に接触する比較的長尺な外筒３ｂと、該内筒３ａおよび外筒３ｂをその軸方向中間部で相互に一体連結する底壁部３ｃから構成されており、外筒３ｂの外周壁には少なくとも１つの縦溝ｍが形成されている。なお、中皿３は、内筒３ａの上端面３ａ１、上端面３ａ１につながる外側壁３ａ２、底壁部３ｃの上面壁３ｃ１および外筒３ｂの内側壁３ｂ１により内容物Ｍを保持する上面部を形成したものを例として示したが、中皿３は、種々の形状および内容物Ｍの保持方法からなるものを適用することが可能であり、図示のものに限定されることはない。
【００２０】
４は、中皿３をスクリューロッド１とともに取り囲むケース本体である。
【００２１】
ケース本体４は、上部が開放された中空円筒体からなっており、その内周壁には、中皿３の外筒３ｂに設けられた縦溝ｍに適合する縦リブｍ１が形成されている。ケース本体４の縦リブｍ１に中皿３の縦溝ｍを適合させることにより、該中皿３の回転が規制され、ケース本体４内で直線的にスライドできるようになっている。
【００２２】
ケース本体４の上部の開放端４ａが内容物の押し出し口（繰出し口）を形成している。なお、中皿３の外筒３ｂに縦リブを設け、ケース本体４の内周壁に該縦リブに適合する縦溝を設けてもよい。
【００２３】
また、５は、ケース本体４の下端部に一体連結する底壁部である。この底壁部５の中央部には、ベース部材２の胴体部分２ａを挿通させ、該底壁部５が胴体部分２ａにおいてスライド可能に連係する開口５ａが設けられている。底壁部５はケース本体４の一部分を構成するものであり、底壁部５がベース部材２の胴体部分２ａに沿ってスライドするとケース本体４も底壁部５に帯同してスライドする。
【００２４】
また、６は、底壁部５の、胴体部分２ａからの抜け出しを防止する突起である（例えばアンダーカットによる係合が可能なもの等）。この突起６は、胴体部分２ａの上端部に設けられその周りで径方向外側に向けて突出する環状突起あるいは間隔を隔てて設けられた複数の凸部等が適用される。
【００２５】
７は、スクリューロッド１の基部１ａと底壁部５との相互間に設けられた緩衝部材である。緩衝部材７は、ベース部材２の胴体部分２ａを周回し、かつ、径方向外側に開放された横向きＵ字状断面をなす合成樹脂製の環状ばねから構成されている。
【００２６】
緩衝部材７は、底壁部５をベース部材２の基盤２ｂに常時押し付ける付勢力を有している。そして、開放端４ａより押し出された内容物Ｍに過大な押し付け力が付加されたときに収縮しスクリューロッド１をベース部材２および中皿３とともに底壁部５に向けて変位させるものであって、これにより内容物に付加された押し付け力を吸収、軽減することができるようになっている。
【００２７】
なお、緩衝部材７としては、合成樹脂製のばねの他、金属製のばね、ゴム、柔軟性のあるパッキン等が適用される。緩衝部材７をスクリューロッド１の基部１ａと底壁部５との相互間に確実に位置せしめるため、スクリューロッド１の基部１ａの径は、ベース部材２の胴体部分２ａの径よりも大きくしておくのが好ましい。また、緩衝部材７が径方向外側に開放された横向きＵ字状断面をなすものを例として示したが、径方向内側に開放された横向きＵ字状断面からなるものやスプリング状のもの等を適用することも可能であり、図示のものに限定されない。緩衝部材７は、底壁部５あるいはスクリューロッド１の基部１ａに一体に形成されたものであってもよい。
【００２８】
また、８は、ケース本体４の下方に設けられた操作体（袴部材）である。この操作体８は、ケース本体４の径とほぼ同等の径を有する周壁８ａを備えており、その周壁８ａの上端部がベース部材２の基盤２ｂの縁部に一体連結している。操作体８を適宜正回転、逆回転させることによりその回転に帯同してスクリューロッド１が回転し、これに係合する中皿３が内容物とともにケース本体４内で昇降移動する。
【００２９】
符号９は、底壁部５の下面に設けられた突起である。突起９としては、ベース部材２の胴体部分２ａを周回する環状突起あるいは間隔をあけて設けられた点状に接触する複数の突起が適用される。
【００３０】
内容物Ｍに押し付け力が付加されていない定常時（図１、図２（ａ）参照）においては、底壁部５はベース部材２の基盤２ｂに当接した状態にある（緩衝部材７による付勢力が作用している）が、突起９を設けることにより、底壁部５はベース部材２の基盤２ｂに線状または点状に接触するため、その相互間の接触面積が小さくなる。その結果、操作体８によりベース部材２を小さな力でもってスムーズに回転させて内容物Ｍを押し出すことができる。なお、突起９は、ベース部材２の基盤２ｂの上面に設けてもよい。
【００３１】
また、１０は、底壁部５の下面外縁部に一体的に設けられた環状体である。この環状体１０は、基盤２ｂの外縁部に近接してその全周を取り囲む壁部を有するものであって、操作体８の横振れ（スクリューロッド１の軸芯Ｌに交差する向きへの振れ）を規制するガイドとして機能する。
【００３２】
さらに、１１は、ケース本体４の上部に着脱自在に嵌合して開放端４ａを密閉するキャップである。キャップ１１は、アンダーカット嵌合するものやねじ係合するものが適用される。
【００３３】
本発明にしたがう繰出し容器においてケース本体４内の内容物Ｍを押し出すには、キャップ１１を取り外したのち、操作体８を正回転させればよい。そうすると、スクリューロッド１は、ベース部材２を介して回転し、該スクリューロッド１に係合する中皿３はその軸芯Ｌに沿い開放端４ａへ向けてスライドすることとなり、充填空間内の内容物Ｍがケース本体４の開放端４ａから押し出されることになる。
【００３４】
押し出された内容物Ｍを塗布面に塗布する場合には、ケース本体４を把持したうえで内容物Ｍの先端を図３に示す如く塗布面に押し付けつつ移動させることになるが、この際、該内容物に予期しない過大な押し付け力が付加されたとしても、図２（ｂ）に示すように、緩衝部材７の収縮によりスクリューロッド１はベース部材２および中皿３とともに底壁部５に向けて変位するため、その押し付け力は緩衝部材７により吸収、軽減されることとなり、内容物Ｍが簡単に折損することはない。また、これにより、内容物の均一な塗布も可能となる。
【００３５】
図４（ａ）（ｂ）は、緩衝部材７として断面が矩形状をなす環状のゴム部材を適用した本発明にしたがう繰出し容器の他の実施の形態を模式的に示した図であり、（ａ）は定常時の状態を示した図、（ｂ）は、内容物Ｍに押し付け力が付加され緩衝部材７の収縮によりスクリューロッド１、ベース部材２、中皿３が底壁部５に向けて変位した状態を示した図である。
【００３６】
かかる繰出し容器においても内容物Ｍに過大な押し付け力が付加されたとしてもその力は緩衝部材７により効果的に吸収、軽減されることになる。
【００３７】
本発明の実施の形態として、緩衝部材７をスクリューロッド１やベース部材２とは個別に構成することにより、構成部材（スクリューロッド１、ベース部材２等）の形状の簡素化を図ることができ、この場合、繰出し容器の効率的な製造が可能となる。
【産業上の利用可能性】
【００３８】
本発明によれば、押し出された内容物に過大な力が付加されてもその力を効果的に軽減し得る繰出し容器が提供できる。
【符号の説明】
【００３９】
１      スクリューロッド
１ａ    基部
２      ベース部材
２ａ    胴体部分
２ｂ    基盤
３      中皿
３ａ    内筒
３ｂ    外筒
３ｃ    底壁部
４      ケース本体
４ａ    開放端
５      底壁部
５ａ    開口
６      突起
７      緩衝部材
８      操作体
８ａ    周壁
９      突起
１０    環状体
１１    キャップ
Ｍ      内容物
Ｌ      軸芯
ｍ      縦溝
ｍ１    縦リブ
【図１】
2018088971.tif 000003
【図２】
2018088971.tif 000004
【図３】
2018088971.tif 000005
【図４】
2018088971.tif 000006